(57)【特許請求の範囲】
【請求項１】
情報がパケットに構造化されるメモリ管理方法であって、
情報メモリ（ＭＥＭ）に記録がなされるとき、上記情報メモリ（ＭＥＭ）内のパケットのアドレスはアドレスメモリ（ＡＤＤ）に格納され、読み出されるべき最先の情報のパケットのメモリ内のアドレスを含むアドレスメモリ（ＡＤＤ）のアドレスは読み出しアドレスレジスタ（ＲＰＲ）に格納されるメモリ管理方法。
【請求項２】
−種々のパケットの情報は情報メモリ（ＭＥＭ）の順次のアドレスに順次記録され、
−各パケットの開始は検出され、
−各パケットの開始のアドレス（Ａｄｄｉ）は上記情報メモリ（ＭＥＭ）内で識別され、
−上記開始アドレス（Ａｄｄｉ）は、アドレスメモリ（ＡＤＤ）の順次のアドレス（Ａｄｄｐ）でアドレスメモリ（ＡＤＤ）に記録され、
−上記順次のアドレス（Ａｄｄｐ）は上記アドレスメモリ（ＡＤＤ）内で識別され、
−上記情報メモリに記憶された最初のパケットのアドレスを示す、上記アドレスメモリ（ＡＤＤ）内のアドレス（Ａｄｄｐ）は、読み出しアドレスレジスタ（ＲＰＲ）に記録され、
−情報が上記情報メモリ（ＭＥＭ）に記録される都度、この情報の現在のアドレス（Ａｄｄ）が上記情報メモリ内の上記最初のパケットのアドレス（Ａｄｄ０）と比較され、両方が等しい場合、上記読み出しアドレスレジスタ（ＲＰＲ）の内容が１ずつ増加される請求項１記載のメモリ管理方法。
【請求項３】
記録されたパケットの個数は計数され、パケットが上記情報メモリ（ＭＥＭ）に記録される都度、現在の格納アドレスと上記アドレスレジスタ（ＲＰＲ）によって出力されたアドレス（Ａｄｄ０）との比較がなされ、両方が等しい場合、上記パケットの個数が１ずつ減少される請求項１記載の方法。
【請求項４】
各記録に対し、上記パケットのアドレスが上記情報メモリ（ＭＥＭ）に格納された上記アドレスメモリ（ＡＤＤ）内の格納場所のアドレス（Ａｄｄｐ）は、（読み出されるべき最先のパケットの情報メモリ（ＭＥＭ）内のアドレスを含む）上記読み出しアドレスレジスタ（ＲＰＲ）の内容と比較され、両方が等しい場合、上記読み出しアドレスレジスタ（ＲＰＲ）の内容が１ずつ増加される請求項２記載の方法。
【請求項５】
上記両方が等しい場合、上記パケットの個数は１ずつ減少される請求項４記載の方法。
【請求項６】
上記情報メモリ（ＭＥＭ）内の情報のパケットを読み出すとき、上記読み出しアドレスレジスタ（ＲＰＲ）に含まれたアドレスは最初に上記情報メモリ（ＭＥＭ）内のパケットのアドレスを得るため使用され、パケットが読み出される都度、上記読み出しアドレスレジスタ（ＲＰＲ）に含まれる内容が上記最初のパケットに後続するパケットの、上記情報メモリ（ＭＥＭ）に関するアドレスによって置き換えられるか、又は、上記アドレスメモリ（ＡＤＤ）に関するアドレスが１ずつ増加され、記録されたパケットの個数は１ずつ減少される請求項５記載の方法。
【請求項７】
上記読み出しアドレスレジスタ（ＲＰＲ）の内容及び上記パケットの個数は補助レジスタに転送され、上記パケットの個数がゼロになるとき、上記読み出しアドレスレジスタの（ＲＰＲ）の内容及び上記パケットの個数は上記補助レジスタにコピーされる請求項６記載の方法。
【請求項８】
パケットに構造化された情報の記録／読み出しのメモリ管理装置であって：
−情報メモリ（ＭＥＭ）と；
−種々の順次の情報が順次のアドレス（Ａｄｄ）に記録される第１のアドレスポインタ（ＭＷＰ）と；
−アドレスメモリ（ＡＤＤ）と；
−上記アドレスメモリ（ＡＤＤ）内のアドレス（Ａｄｄｐ）を含む第２のアドレスメモリポインタ（ＦＳＰ）と；
−各パケットの開始を検出し、進みが検出される都度、上記アドレスメモリポインタ（ＦＳＰ）を１ステップずつ増加し、上記第１のポインタによって供給されたアドレスを上記第２のポインタによって示されたアドレスで上記アドレスメモリに記録する検出回路とからなる、メモリ管理装置。
【請求項９】
−読み出されるべき最初のパケットの上記情報メモリ（ＭＥＭ）内のアドレスを含む格納場所の上記アドレスメモリ（ＡＤＤ）内のアドレス（Ａｄｄｐ）が格納された読み出しアドレスレジスタ（ＲＰＲ）と；
−上記第１のポインタに含まれた各順次のアドレスは、上記読み出しアドレスレジスタ（ＲＰＲ）で指定されたアドレスで上記アドレスメモリ（ＡＤＤ）に含まれた上記読み出されるべき最初のパケットのアドレスと比較され、上記二つのアドレスが一致する場合、上記読み出しアドレスレジスタ（ＲＰＲ）の内容は１ずつ増加される第１の比較回路（ＣＯＭＰ１）とを更に有する請求項８記載のメモリ管理装置。
【請求項１０】
読み出されるべきパケットの個数が格納され、上記第１の比較回路が等しい値を検出したとき、その内容が１ずつ減少される補助レジスタ（ＳＶＳＬＲ）を更に有する請求項９記載のメモリ管理装置。
【請求項１１】
上記第２のポインタ（ＦＳＰ）の内容と、上記読み出しアドレスレジスタ（ＲＰＲ）の内容を比較し、両方が等しい場合、上記読み出しアドレスレジスタ（ＲＰＲ）の１ずつの増加と、上記補助レジスタ（ＳＶＳＬＲ）の１ずつの減少を制御する第２の比較回路（ＣＯＭＰ２）を更に有する請求項１０記載のメモリ管理装置。
【請求項１２】
−上記情報メモリ（ＭＥＭ）内の順次のアドレス（Ａｄｄ）で種々の情報を読み出すため使用される第３のアドレスポインタ（ＢＭＲＰ）と；
−上記アドレスメモリ（ＡＤＤ）をアドレス指定するため使用される補助読み出しアドレスレジスタ（ＡＣＦ）と；
−読み出されるべき状態のままであるパケットのカウンタとを更に有し、
読み出し開始コマンド（ＳＴ）は、上記読み出しアドレスレジスタ（ＲＰＲ）の内容を上記補助読み出しレジスタ（ＡＣＦ）にコピーし、上記補助レジスタ（ＳＶＳＬＲ）の内容を上記パケットのカウンタ（ＲＦＣ）にコピーする制御を行い；パケットの終了又は開始の検出回路（ＤＰ）は、補助読み出しレジスタ（ＡＣＦ）を１ずつ増加させ、上記パケットカウンタ（ＲＦＣ）を１ずつ減少させることを制御する開始パケット（ＤＰ）信号を出力する、請求項８乃至１１のうちいずれか１項記載のメモリ管理装置。
【請求項１３】
検出回路は、上記パケットカウンタがゼロになるときを検出し、上記読み出しアドレスレジスタ（ＲＰＲ）の内容を上記補助読み出しレジスタ（ＡＣＦ）にコピーし、上記補助レジスタ（ＳＶＳＬＲ）の内容を上記パケットカウンタにコピーする信号を発生する請求項１２記載のメモリ管理装置。
【請求項１４】
パケット終了（ｄｐ）信号カウンタを更に有し、
各パケット終了信号は、情報メモリ（ＭＥＭ）内のパケットを読み出すため上記補助読み出しレジスタ（ＡＣＦ）が上記アドレスメモリ（ＡＤＤ）をアドレス指定するよう強制し、上記信号カウンタは所定の位置に達したときパケット開始（ＤＰ）信号を出力する請求項１２記載のメモリ管理装置。
【発明の詳細な説明】
【０００１】
【発明の属する技術分野】
本発明はメモリ管理の方法及び装置に係り、特に、情報が連続的なパケットに記録され、記録された場合と同じ順序で読み出される装置に関する。
【０００２】
【従来の技術】
従来、上記の形のメモリ管理方法及びメモリ管理装置において、各パケットはブロックで読まれるべき分割不能な情報の集まりを形成する。その上、情報パケットのサイズは異なる場合がある。
【０００３】
【発明が解決しようとする課題】
本発明は、特に、テレビジョンの視聴者が既に受信された画像のシーケンスを観ることができるようテレビジョンセットのビデオシーケンスの記録に適用されるメモリ管理方法及び装置に提供を目的とする。従って、視聴者は少し前に観たシーケンスを再生することができる。
【０００４】
視聴者が少し前に観たシーケンスを再生することは、少なくとも時間的に直前に受信されたシーケンスを記録することにより実現される。更に、記録容量を増大させるため画像の圧縮及び記録技術を使用すると有利である。従って、上記技術を用いて符号化された種々の画像には様々な記憶容量が必要とされる。しかし、殆どの符号化ビデオ画像は所定の記憶容量で記録することが可能である。
【０００５】
その上、上記の如く、シーケンスは連続的に記録されるので、ユーザはいつでも、例えば、直前の５秒に受信されたシーケンスの再生を要求できる。
本発明が上記の全てにより生じる課題の解決を提案する。
【０００６】
【課題を解決するための手段】
従って、本発明のメモリ管理方法は、情報がパケットに構造化されるメモリ管理方法であって、情報メモリに記録がなされるとき、上記情報メモリ内のパケットのアドレスはアドレスメモリに格納され、読み出されるべき最先の情報のパケットのメモリ内アドレスを含むアドレスメモリのアドレスは読み出しアドレスレジスタ（ＲＰＲ）に格納される。
【０００７】
特に、本発明のメモリ管理方法は：
−種々のパケットの情報は情報メモリの順次のアドレスに記録され、
−各パケットの開始は検出され、上記各パケットの開始アドレスは上記情報メモリ内で識別され、
−上記開始アドレスは、順次のアドレスでアドレスメモリに記録され、
−最初のパケットのアドレス又はその順次のアドレスは、読み出しアドレスレジスタに記録され、
−上記情報が情報メモリに記録される都度、この情報の現在のアドレスが上記最初のパケットのアドレスと比較され、両方が等しい場合、上記読み出しアドレスレジスタの内容が１ずつ増加される。
【０００８】
更に、本発明のメモリ管理装置は、パケットに構造化された情報の記録／読み出しのメモリ管理装置であって：
−情報メモリと；
−順次の情報が記録される順次のアドレスを記録するため使用される第１のアドレスポインタと；
−アドレスメモリと；
−上記アドレスメモリ内のアドレスを含む第２のアドレスメモリポインタと；  −各パケットの開始を検出し、進みが検出される都度、上記アドレスメモリポインタを１ずつ増加し、上記第１のポインタによって供給されたアドレスを上記第２のポインタによって示されたアドレスで上記アドレスメモリに記録する検出回路とからなる。
【０００９】
本発明の種々の目的及び特徴は、以下の説明と添付図面とによって更に明らかにされる。
【００１０】
【発明の実施の形態】
図１を参照して、本発明による装置の一実施例の情報をメモリに記録する機能を最初に説明する。
円形に示されたメモリＭＥＭには所定の数の格納場所がある。
情報は情報パケットの形でライン入力ＩＮに送られる。情報は技術的に周知の方法でデータを圧縮する圧縮回路ＣＯＭＰＲに入力され、次いで、メモリＭＥＭに送られるべき情報をフォーマットするフォーマッティング回路ＦＯＲＭに入力される。この段階で、圧縮回路ＣＯＭＰＲは各パケットの長さを縮小するため情報パケットに圧縮処理を適用する。従って、パケットの長さは様々であり：フォーマッティング回路ＦＯＲＭは、情報毎に種々の長さの情報パケットを同一のメモリＭＥＭに供給する。メモリＭＥＭのアドレス指定回路又は書き込みポインタＭＷＰは、各２値データを１ステップずつ先に進め、メモリＭＥＭのアドレス指定をアドレスＡｄｄに制御する。情報の各部分はメモリＭＥＭに送られ、書き込みポインタＭＷＰによって定められたアドレスＡｄｄに記録される。
【００１１】
その上、各情報パケットはパケット開始信号を有する。例えば、ビデオ画像の記録を実施する場合、情報パケットは画像（又はフレーム）に対応し、垂直同期信号で始まる。各情報パケットの開始ＩＤＰは、補助アドレス指定メモリＡＤＤのアドレス指定回路又はパケット開始ポインタＦＳＰに通知される。
メモリＡＤＤは各パケットの開始アドレスＡｄｄｉを格納する。各パケットの開始に対し、ポインタＦＳＰは、アドレスＡｄｄｉに対応するアドレスを格納するポインタＭＷＰの位置を記録するメモリの格納場所をアドレス指定する。
【００１２】
上記ＩＮアクセスに到達する種々の情報パケットは、到達するのと同時にメモリＭＥＭに記録される。同時に、メモリＭＥＭの中のパケット開始アドレスＡｄｄｉはアドレスメモリＡＤＤに記録される。
しかし、明らかにメモリＭＥＭは一定の記憶容量しかなく、メモリＭＥＭが一杯になるとき、ポインタＭＷＰは記録済みの格納場所のアドレスを指定する。
【００１３】
本実施例の装置の目的は最新の情報パケットを記憶することであるので、記録済みの格納場所を書き換える（或いは、記録する）よう判定され、到達した新しいパケットが記憶される。この場合、到達順に情報パケットを再読み出しするため、直前に書き換えられなかった最先に記録されたパケットがどのパケットであるかを知ることは不可欠である。
【００１４】
これは、未だ書き換えられていない最初のパケット（又は最先のパケット）のアドレスＡｄｄｉを格納するアドレスメモリＡＤＤ内のアドレスＡｄｄｐをレジスタＲＰＲに記録することにより実現される。
更に、メモリＭＥＭ内の有効なパケットの個数はレジスタＳＶＳＬＲに格納される。
【００１５】
パケットが記録されたときはいつも、レジスタＳＶＳＬＲの内容は、例えば、パケット開始ポインタＦＳＰの制御下で１ずつ増加される。
メモリＭＥＭが完全に充たされた場合、情報がメモリＭＥＭに記録されるときはいつも、上記情報のアドレスＡｄｄは、レジスタＲＰＲにより指定されたアドレスでアドレスメモリＡＤＤに格納されたアドレスＡｄｄｉと比較される。アドレスＡｄｄがアドレスＡｄｄｉと一致する場合、比較回路ＣＯＭＰ１はレジスタＲＰＲを１ずつ増加させ、レジスタＳＶＳＬＲを１ずつ減少させる。
【００１６】
従って、レジスタＲＰＲは、レジスタＡＤＤ内でメモリＭＥＭの最先のパケットのアドレスを得るために使用される。レジスタＳＶＳＬＲは、メモリＭＥＭで読み出される完全かつ有効なパケットの個数を格納する。
更に高速な処理を実現するため、図１に破線で表わされたレジスタＲＰＲ’を設けてもよい。レジスタＲＰＲ’は、メモリＡＤＤに格納され、レジスタＲＰＲによって指定されたアドレスＡｄｄｉを格納する。アドレスＡｄｄｉは、装置が初期化されるとき、及び、レジスタＲＰＲの内容が１ずつ増加されるときはいつもレジスタＲＰＲ’にロードされる。
【００１７】
メモリＡＤＤに記録し得るアドレスの最大の個数に達している場合でも（図２を参照のこと）、メモリＭＥＭは一杯にならない可能性がある。圧縮後に短いパケットが多数存在する場合、メモリＭＥＭが一杯になる。例えば、ビデオ画像を記録する場合、全く同一の色の多数の画像を圧縮するとき最大の圧縮が実現され、情報はメモリＭＥＭ内で多量の空間を占有しないことがある。
【００１８】
例えば、（Ｎ−１）番目のアドレスＡｄｄがメモリＡＤＤに記録された後、次のパケットが到達したとき、そのパケットのアドレスはメモリＡＤＤの格納場所０に記録する必要がある。従って、メモリＭＥＭ内のアドレスＡｄｄｉ＝０はメモリＡＤＤ内で「書き換えられる」。従って、それ以降メモリＭＥＭのアドレス０の情報パケットは読み出すことができない。この問題を解決するため、比較回路ＣＯＭＰ２は、パケット開始ポインタＦＳＰの内容をメモリＭＥＭ内の最先のパケットのアドレスを格納するメモリＡＤＤのアドレスを含むレジスタＲＰＲの内容と比較する。比較器ＣＯＭＰ２が、上記両アドレスが同一であることを検出した場合、レジスタＲＰＲは１ずつ増加され、レジスタＳＶＳＬＲは１ずつ減少される。
【００１９】
図４を参照して、図１の装置の読み出し動作を説明する。
メモリＭＥＭは連続的なパケットに構造化された情報を格納する。メモリＡＤＤの連続的な格納位置にはメモリＭＥＭ内のパケット開始アドレスＡｄｄｉが格納される。
更に、レジスタＲＰＲは、メモリＭＥＭに新たに格納された最先のパケットのアドレスＡｄｄｉを有するメモリＡＤＤのアドレスＡｄｄｐを格納する。
【００２０】
レジスタＳＶＳＬＲにはメモリＭＥＭで利用可能なパケットの個数が格納される。
外部から、例えば、ユーザによって与えられた命令ＳＴが到達したとき、レジスタＲＰＲに含まれたアドレスは、アドレスメモリＡＤＤの補助読み出しアドレスレジスタＡＣＦに記録される。その上、有効なパケットのカウンタＲＦＣにはレジスタＳＶＳＬＲの値がロードされる。
【００２１】
レジスタＡＣＦはアドレスＡｄｄｉでメモリＡＤＤをアドレス指定し、レジスタＡＣＦの内容はメモリＭＥＭの読み出しポインタＢＭＲＰに転送される。かくして、メモリＭＥＭの最先のパケットの先頭がアドレス指定される。メモリＭＥＭに格納された情報は、順次に読み出され、出力ＯＵＴの方に転送される。情報の受信後、ユーザ側回路（図示せず）は、次の情報を要求する信号ＲＱを出力し、ポインタＢＭＲＰを１ずつ増加させるよう制御する。メモリＭＥＭ内の次の情報は出力ＯＵＴに転送される。
【００２２】
更に、ユーザ側回路は、メモリＭＥＭに読み込まれた情報を復号化し、パケットの終了（又は、次のパケットの開始）を検出することができる。ユーザ側回路は、次いで、レジスタＡＣＦを１ずつ増加させ、カウンタＲＦＣを１ずつ減少させるパケット開始信号ＤＰを出力する。レジスタＡＣＦの指定するメモリＡＤＤの内容と、そのメモリ内の格納場所（Ａｄｄｉ）の内容がメモリＭＥＭの読み出しポインタＢＭＲＰに転送される。
【００２３】
上記動作はカウンタＲＦＣがゼロになるまで継続する。カウンタＲＦＣがゼロになるとき、レジスタＲＰＲ及びＳＶＳＬＲの内容は、夫々、レジスタＡＣＦ及びカウンタＲＦＣにロードされ、上記動作が継続する。
その上、上記装置は、情報のパケットがメモリＭＥＭに記録されるまでは読み出し動作を開始できない。読み出し動作の開始は、ポインタＦＳＰ（図１を参照のこと）とレジスタＳＶＳＬＲの動作を抑制するため、読み出しモードを開始させる信号ＳＴをポインタＦＳＰとレジスタＳＶＳＬＲに送出することにより制御される。次のパケット開始標示ＩＤＰ（図１を参照のこと）は、レジスタＲＰＲ及びＳＶＳＬＲで夫々レジスタＡＣＦ及びカウンタＲＦＣをロードするため、レジスタＡＣＦ及びカウンタＲＦＣに送られる。
【００２４】
次いで、図５乃至７を参照して、本発明のメモリ管理方法を説明する。
図５のフローチャートで「情報の到達」と「情報−＞メモリＭＥＭ」の機能の一巡路によって示されているように、到達した情報は、到着と同時にメモリＭＥＭに記録される。
パケットの開始は、情報が到達したときに検出される。パケットの開始が検出された場合、パケット先頭のメモリＭＥＭのアドレス（ａｄｄ）はアドレスメモリＡＤＤに記録される。更に、パケットレジスタＳＶＳＬＲの数は１ずつ増加される。
【００２５】
検出されたパケットが記録される最初のパケットである場合、対応するメモリアドレスのアドレスＡｄｄ０は、読み出しアドレスレジスタＲＰＲに設定される。この処理は同図に「Ａｄｄ０−＞ＲＰＲ」として示されている。
その上、情報がメモリＭＥＭに記録されるときはいつも、そのアドレスは、アドレスメモリＡＤＤ内のレジスタＲＰＲによって得られたアドレスＡｄｄ０と比較される。両方が等しい場合、先に記録された情報が書き換えられることを意味する。この場合、読み出しアドレスレジスタＲＰＲの内容は１ずつ増加され、パケットの個数のレジスタＳＶＳＬＲは１ずつ減少される。ＲＰＲに格納された新しいアドレスは、メモリＡＤＤの新しいアドレスＡｄｄｉを読み、そのアドレスＡｄｄｉをレジスタＲＰＲ’に記録する。
【００２６】
図６には図５のフローチャートで説明した方法を改良した方法が示されている。この改良は、アドレスメモリＡＤＤの記憶容量が情報メモリＭＥＭの記憶容量に対し不足する場合（図３に概略的に示された場合）を想定している。
上記改良は、各記録に対し、情報が記録されたメモリＭＥＭ内の格納位置の現在のアドレスＡｄｄｃを、読み出しアドレスレジスタＲＰＲによって指定されたアドレスでアドレスメモリＡＤＤに格納されたパケット開始アドレスＡｄｄ０と比較することにより実現される。この処理は「Ａｄｄｃ＝Ａｄｄ０？」によって表わされている。両方が等しい場合、読み出しアドレスレジスタＲＰＲの内容は１ずつ増加され、パケットの個数のレジスタＳＶＳＬＲの内容は１ずつ減少される。
【００２７】
図７は本発明の読み出し処理の一例を示すフローチャートである。
読み出しが開始されると、読み出しレジスタＲＰＲには、読み出されるべき最初のパケットのアドレスが記録されたアドレスレジスタのアドレスＡｄｄ０が格納される。この処理は「（ＲＰＲ）＝Ａｄｄ０」によって表わされている。
アドレスＡｄｄ０は補助アドレスレジスタＡＣＦに転送される。その上、パケットカウンタＳＶＳＬＲに格納された有効なパケットの個数は補助カウンタＲＦＣに転送される。
【００２８】
補助アドレスレジスタＡＣＦは、アドレスメモリＡＤＤから情報メモリＭＥＭ内のアドレスを得て、そのアドレスの情報を読み出すため使用される。
上記情報が読み出されたとき、パケットの終了、又は、次のパケットの開始を検出するため復号化される（「パケットの終了」段階）。パケットの終了が検出されるまで、上記装置はメモリＭＥＭの内容を読み出すループを継続する。かかる繰り返し処理は、アドレスＡｄｄを次のアドレスに増加させることにより実現される。
【００２９】
パケットの終了が検出されたとき、アドレスレジスタＡＣＦは１ずつ増加され、次のパケットの開始アドレスが与えられる。同時に、補助カウンタＲＦＣは１ずつ減少される。
上記処理は補助カウンタＲＦＣがゼロ位置になるまで（ＲＦＣ＝０？）続けられる。次いで、再ロードの指令が、アドレスレジスタＲＰＲの内容が再ロードされる補助アドレスレジスタＡＣＦに与えられる。更に、補助カウンタＲＦＣはパケットカウンタＳＶＳＬＲの内容で再ロードされる。その後、動作を再スタートさせることが可能である。
【００３０】
テレビジョンへの応用の場合、情報パケットはフレーム（又は画像）である。各フレームは１フレーム間隔中に表示される。スローモーション再生を実現するため、図４に示された本発明の読み出し装置は、フレーム時間よりも長い時間中各フレームを表示する。
上記の如く、パケットの開始（又は、フレームの先頭）は、メモリＡＤＤに格納されたアドレスＡｄｄをポインタＢＭＲＰに転送することによりアクセスされる。これは信号ＤＰを制御することにより行われる。数フレーム間隔に亘ってフレームが表示されたままの状態を維持するため、読み出されたばかりのフレームが、フレームの最後でもう一度メモリＭＥＭに読み込まれる。スローモーション速度に依存して、同一のフレームが読み出されるべき回数が計数されて表示され、次のフレームは当該フレームが必要な回数読み出されるまで読まれない。
【００３１】
図８の（ａ）に示す如く、カウンタＣＰは、垂直同期信号であるパケット終了信号ｄｐを受ける。動作の開始時に、カウンタＣＰは要求された表示速度に応じて所定の位置に設定される。各ｄｐ信号で、カウンタＣＰは１ステップずつ進む。更に、信号ｄｐは開始アドレスがメモリＡＤＤ内の同一アドレスにある画像を再表示するようレジスタＡＣＦを制御する。
【００３２】
カウンタＣＰが所定の位置に達したとき、換言すれば、同一画像を所定の時間表示した後、カウンタＣＰは、レジスタＡＣＦを１ずつ増加させカウンタＲＦＣを１ずつ減少させる制御をする信号ＤＰを出力する。
例えば、上記カウンタＣＰによって単一のスローモーション速度が得られるようにする簡単な方法は、入力がスローモーション速度比倍の垂直同期信号により制御される図８の（ｂ）に示された形のカウンタを設けることである。
【図面の簡単な説明】
【図１】  情報がメモリに記録される本発明の一実施例の説明図である。
【図２】  情報がメモリに記録される本発明の一実施例の説明図である。
【図３】  情報がメモリに記録される本発明の一実施例の説明図である。
【図４】  メモリから情報を読み出す本発明の一実施例の説明図である。
【図５】  本発明の方法の一実施例の機能的なフローチャートである。
【図６】  本発明の方法の一実施例の機能的なフローチャートである。
【図７】  本発明の方法の一実施例の機能的なフローチャートである。
【図８】  テレビジョンセットにおいてスローモーションでビデオを再生するため使用される回路の例の説明図である。
【図１】
0003936753.tif 000002
【図２】
0003936753.tif 000003
【図３】
0003936753.tif 000004
【図４】
0003936753.tif 000005
【図５】
0003936753.tif 000006
【図６】
0003936753.tif 000007
【図７】
0003936753.tif 000008
【図８】
0003936753.tif 000009